(57)【要約】【課題】  人の対話を単純化し、最も得られそうであり、選択されたサービスにとってユーザに有用である制御特色に、ユーザの注意を集中させることを助けるインターフェースを設計すること。【解決手段】  対人インターフェースを有し、複数のサービスを人であるユーザに提供する多機能電子システムであって、ａ）システム制御装置と、ｂ）インターフェース上に配置され、システム特色の選択を制御し、単独でシステム制御装置と通信するようになった人による制御が可能な複数のスイッチ装置と、ｃ）各々が一つのスイッチ装置と関連しており、そのスイッチ装置についての複数のモードのうちの１つの存在を示す人が理解可能な複数のインジケータを備える。第１のサービスが選択されると、制御装置が、スイッチ装置に関連する人が理解可能なインジケータを指示して、第１のモードの存在を示し、第２のサービスが選択されると、第２のモードの存在を示す。【選択図】      図６
2004181959.tif 000002
【特許請求の範囲】
【請求項１】
対人インターフェースを有し、複数のサービスを人であるユーザに提供する多機能電子システムであって、
ａ）システム制御装置と、
ｂ）前記インターフェース上に配置され、システム特色の選択を制御し、単独で前記システム制御装置と通信するようになった人による制御が可能な複数のスイッチ装置と、
ｃ）各々が一つのスイッチ装置と関連しており、そのスイッチ装置についての複数のモードのうちの１つの存在を示す人が理解可能な複数のインジケータと、
を備え、第１のサービスが選択されると、前記制御装置が、該スイッチ装置に関連する人が理解可能なインジケータを指示して、このスイッチ装置についての第１のモードの存在を示すようにし、
第２のサービスが選択されると、前記制御装置が、該スイッチ装置に関連する人が理解可能なインジケータを指示して、このスイッチ装置についての第２のモードの存在を示すようにする、
ことを特徴とする多機能電子システム。
【請求項２】
前記第１のサービスが、本質的に印刷、コピー、走査、及びファクシミリからなるサービスのグループの１つを含み、前記第２のサービスが、本質的に印刷、コピー、走査、及びファクシミリからなるサービスのグループの異なる１つを含む請求項１に記載の多機能電子システム。
【請求項３】
前記スイッチ装置が、装置の制御装置と通信してサービスに関する複数のシステム特色の１つを選択するようになっており、前記第１のモードが前記スイッチ装置に関連するシステム特色の利用可能性を含むものであり、前記第２のモードが前記スイッチ装置に関連する特色の非利用可能性を含むものである請求項１に記載の多機能電子システム。
【請求項４】
前記人が理解可能なインジケータが、前記第１のモードの存在を示す第１の特性の光と、前記第２のモードの存在を示す第２の特性の光とをもたらす照明源を備える請求項１に記載の多機能電子システム。
【請求項５】
前記第１のサービスに関するほとんどのスイッチ装置が前記インターフェース上で共にグループ分けされ、前記第２のサービスに関連するほとんどのスイッチ装置が、前記第１のサービスに関する前記グループとは別にグループ分けされる請求項１に記載の多機能電子システム。
【請求項６】
対人インターフェースを有し、複数のサービスを人であるユーザに提供する電子写真多機能プリンタであって、
ａ）システム制御装置と、
ｂ）前記インターフェース上に配置され、システム特色の選択を制御し、単独で前記システム制御装置と通信するようになった人による制御が可能な複数のスイッチ装置と、
ｃ）各々が一つのスイッチ装置と関連しており、そのようなスイッチ装置についての複数のモードのうちの１つの存在を示す人が理解可能な複数のインジケータと、
を備え、第１のサービスが選択されると、前記制御装置が、該スイッチ装置に関連する人が理解可能なインジケータを指示して、このスイッチ装置についての第１のモードの存在を示すようにし、
第２のサービスが選択されると、前記制御装置が、該スイッチ装置に関連する人が理解可能なインジケータを指示して、このスイッチ装置についての第２のモードの存在を示すようにする、
ことを特徴とする電子写真多機能プリンタ。
【請求項７】
システム制御装置と、システム特色の選択を制御する複数のスイッチ装置を備えた対人インターフェースと、各々のスイッチ装置に関連する人が理解可能なインジケータとを有する多機能電子システムにおいて、
実行されるべき第１のサービスを選択し、
前記制御装置により、前記第１のサービスの選択でどの特色を得ることができるかを判断し、
前記制御装置からの信号により、前記第１のサービスの選択で得ることができる特色の選択を制御するスイッチ装置に関連する人が理解可能なインジケータを作動させる、
ことからなる前記システムと接続する方法。
【請求項８】
実行されるべき第２のサービスを選択し、
前記制御装置により、前記第２のサービスの選択でどの特色を得ることができるかを判断し、
前記制御装置からの信号により、前記第２のサービスの選択で得ることができる特色の選択を制御するスイッチ装置に関連する人が理解可能なインジケータを作動させ、
前記第２のサービスの選択で得ることができない特色の選択を制御するスイッチ装置に関連する人が理解可能なインジケータの作動を停止する、
ことをさらに含む請求項７に記載の方法。
【発明の詳細な説明】
【技術分野】
【０００１】
本発明は、電子装置のためのコントロールパネルに関し、より具体的には、多機能プリンタのためのコントロールパネルに関する。本発明の実施形態は、選択された多機能システムのサービスに関する機能ボタンに注意を向けることにより、複雑な装置に対する対人インターフェースを単純化するものである。
【背景技術】
【０００２】
以前は典型的には別々の装置の主機能であった多くの機能が組み合わされたことにより、電子装置がより複雑になったため、ユーザインターフェースは、ユーザが別々の機能の各々を選択できるようにする制御ボタン又はスイッチの各々を、ユーザに利用可能にする必要がある。多くの装置において、このことは、多くのボタン又はスイッチをもったコントロールパネルをもたらすことになる。このような制御ボタン及びスイッチの数は、多くの場合、ユーザを混乱させ、少なくとも、望まれるインターフェースの単純さを低下させる。
【発明の開示】
【発明が解決しようとする課題】
【０００３】
人の対話を単純化し、最も得られそうであり、選択されたサービスにとってユーザに有用である制御特色に、ユーザの注意を集中させることを助けるインターフェースを設計することが望ましい。
【課題を解決するための手段】
【０００４】
本発明の一実施形態においては、（ａ）システム制御装置と、（ｂ）システム特色の選択を制御し、単独で該システム制御装置と通信する、インターフェース上に配置された人による制御が可能な複数のスイッチ装置と、（ｃ）各々がスイッチ装置と関連しており、そのスイッチ装置についての複数のモードのうちの１つの存在を示す、人が理解可能な複数のインジケータとを備え、第１のサービスが選択されると、該制御装置が、該スイッチ装置に関連する該人が理解可能なインジケータを指示して、このスイッチ装置についての第１のモードの存在を示し、第２のサービスが選択されると、該制御装置が、該スイッチ装置に関連する人が理解可能なインジケータを指示して、このスイッチ装置についての第２のモードの存在を示すようにする、対人インターフェースを有し、人であるユーザに複数のサービスを提供する多機能電子システムが提供される。
【０００５】
本発明の一実施形態においては、（ａ）システム制御装置と、（ｂ）システム特色の選択を制御し、単独で該システム制御装置と通信する、インターフェース上に配置された人による制御が可能な複数のスイッチ装置と、（ｃ）各々がスイッチ装置と関連しており、そのようなスイッチ装置についての複数のモードのうちの１つの存在を示す人が理解可能な複数のインジケータとを備え、第１のサービスが選択されると、該制御装置が、このようなスイッチ装置についての第１のモードの存在を示すように、該スイッチ装置に関連する該人が理解可能なインジケータを指示し、第２のサービスが選択されると、該制御装置が、該スイッチ装置に関連する人が理解可能なインジケータを指示して、このスイッチ装置についての第２のモードの存在を示すようにし、対人インターフェースを有し、人であるユーザに複数のサービスを提供する電子写真多機能プリンタが提供される。
【０００６】
本発明のさらに別の実施形態は、システム制御装置と、システム特色の選択を制御する複数のスイッチ装置を備えた対人インターフェースと、各々のスイッチ装置に関連する人が理解可能なインジケータとを有する多機能システムにおいて、実行されるべき第１のサービスを選択し、該制御装置により、第１のサービスの選択でどの特色を得ることができるかを判断し、該制御装置からの信号により、第１のサービスの選択で得ることができる特色の選択を制御するスイッチ装置に関連する人が理解可能なインジケータを作動させることからなる上記システムとインターフェースする方法を提供する。
【発明を実施するための最良の形態】
【０００７】
本発明の特徴を一般的に理解するために図面を参照する。図面において、同じ参照番号が同一の要素を示すために全体を通して用いられる。
【０００８】
図２を参照すると、本発明のインターフェースの一実施形態が示されている。本実施形態においては、図１のインターフェースと同様な、多機能プリンタのためのインターフェースが示されている。このシステムで利用可能なサービスは、「走査」、「コピー」、及び「ファックス」、並びに１つ又はそれ以上の遠隔端末により制御される「印刷」である。図２に示される実施形態においては、基本的なサービスを選択するための３つのボタンだけが照明されている。本実施形態は、所望のサービスを選択する前の、１つの可能性のあるインターフェースの初期条件を表わす。本実施形態においては、やって来たユーザは、最初に、３つのサービス識別子光だけが照明されているのを目にする。次にユーザが、どのサービスが望ましいかを選択すると、選択されたサービスに関連する制御装置（ボタン）が明るくされる。このような関連するボタンの例が、図３ないし図５に関して示されている。
【０００９】
図３を参照すると、可能性のある別のインターフェースの初期設定が示されている。本実施形態においては、システムは、やって来たユーザが「コピー」サービスを選択するであろうという仮定で設定されている。従って、このインターフェースは、典型的には、前の使用から特定の時間の後に、「コピー」サービスのために有益な、選択されたデフォルト設定を表示するように設定されている。コピー・サービスが現在利用可能であることをユーザに知らせるために、「コピー」ボタン自体が明るくされる。コピー・サービスと併せて用いることができるボタンが、コピー・サービスに関連する特色の制御が有効であることを示すように明るくされる。どちらのモードがデフォルト選択であるかを示すように、「カラー」及び「白黒」の一方のボタンだけが明るくされる。同様に、「最上」、「通常」、「超速」、及び「高速」からなる品質グループの１つだけが明るくされる。しかしながら、各々の場合において、これらの代替的な制御の選択肢が物理的に近接した関係にあるということは、ユーザに対して、グループ内のいずれのものも選択することができることを示すのに十分であると考えられる。
【００１０】
図３に示されるデフォルト設定の変形が、図４に示される。この図においては、再びコピー・サービスが、デフォルト選択として選択されている。しかしながら、この設定においては、ユーザが選択することができる全ての制御装置が照明されている。「コピー」ボタンに加えて、「走査」及び「ファックス」ボタンの両方が照明されている。しかしながら、コピー・サービスがデフォルト選択であることを示すために、人が検知可能な二次的インジケータが「コピー」ボタンに適用される。この二次的インジケータは、図４において、ボールド文字にされた「コピー」ボタンにより表わされている。この強調表示特色の一実施形態においては、選択された機能ボタンは、選択されなかった機能よりも明るくされて強調表示される。別の実施形態においては、選択された特色に関連する制御装置が、選択されたことを示すように点滅する。他の合図としては、限定的な意味ではないが、色の変化、ボタンに関連する隣接した文字の照明、或いは他の視覚的、聴覚的、又は人が検知可能な、グループ内で選択されたボタンと他のボタンとを区別するあらゆる知覚的な信号を含むことができる。強調表示された文字の実施形態は、「カラー」及び「白黒」ボタン及び種々の「品質」ボタンについてのグループ分けに関して示される。各々の場合において、選択されたボタンに関連する文字自体が明るくされる。照明又は強調表示における種々のレベルの組み合わせは、選択することができる全ての制御装置を示すように働き、同時に、利用可能なボタンのうちのどれが現在選択されているかを示すように働く。この方法により、ユーザは、現在選択されているものが望ましいかどうかを迅速に判断することができ、そうでない場合には、簡単に、より好ましいものを見て特定することができる。
【００１１】
同様のデフォルトのインターフェースの表現を、選択された各々のサービスについてさらに設定することができる。例えば、図５は、一度ファックス・サービスが選択された、可能性のあるインターフェースの設定を示す。この設定においては、電話番号がまだ入力されていないために、「スタート」ボタンは明るくされていないことに着目されたい。従って、「スタート」ボタンは利用可能ではない。コピー・サービスの場合と同じように、多くのレベルの強調表示を用いて、特定の時に、どのスイッチが利用可能で、どれが選択されているかという両方をユーザに知らせることができる。
【００１２】
本発明の別の実施形態は、対話式インターフェースを考慮に入れるものである。ユーザが最初の選択をするか、又はシステムにおける最初のデフォルト設定を受け入れる場合には、次に「スタート」ボタンを押すことにより、典型的には、システムによる処理及び選択された特色の実施が開始される。「スタート」ボタンが押されると、多くの制御ボタンが変更不可能のなり、システムの処理が続く。例えば、「スタート」ボタンが選択されると、品質、及び、カラー又は黒白の選択のようなボタンについての点灯が停止される。逆に、サービスのシステム処理が開始されると、「クリア／ストップ」機能のような幾つかの特色が利用可能になる。このボタンについての点灯の変化は、この状態の変化を示すものである。
【００１３】
図１に示されているような「ハード・ディスプレイ」を有する従来技術のインターフェースにおける具体的な問題は、「スタート」ボタンの使用におけるユーザの混乱である。具体的には、多くの熟練していないユーザは、「スタート」ボタンではなく、サービス選択ボタン（例えば、「コピー」、「ファックス」、或いは「走査」ボタン）を再び押すことにより、要求したサービスの処理を開始しようと試みることが経験的に知られている。本発明のさらに別の実施形態は、ユーザが、サービス及び／又は特色を選択してジョブの処理準備ができたことが示された後に、ユーザの注意を「スタート」制御スイッチに向けるものである。このような強調表示は、点灯なしから点灯ありへの変化、又は人が検知可能な別のインジケータを作動させることを含む。例えば図３に示されるような構成におけるスタート機能は、典型的には、デフォルト設定での作動の準備ができたものであるため、別の実施形態は、ユーザが一旦デフォルト設定を変更したとき、再び処理ができる状態となるように、明るさのレベルを上げたり、点滅させたり、或いは、他の方法により特定の注意を向けさせるものとする。
【００１４】
上記の本発明の実施形態は、利用可能な機能に注意を向けるための人が検知可能なあらゆるインジケータを用いて実施することができ、これにより複雑な「ハード・インターフェース」を単純化することができる。点灯が選択される場合には、点灯の典型的な形態は、半透明のボタン又は文字の下にＬＥＤを配置するものとすることができる。他の代替物は、光を１つ又は幾つかの光源からボタン又は他の制御スイッチに移送する光ファイバーを含む。しかしながら、人が検知可能などのインジケータが用いられるとしても、通常は、そのようなインジケータのスイッチをオン・オフする手段と適切な制御アルゴリズムを備えた制御装置が、ユーザ入力と表示における強調表示の変化との間の相互作用を実現させることになる。
【００１５】
１つの可能性のある制御装置アルゴリズムの実施形態が、図６及び図７に示されるフローチャートに示されている。本実施形態は、図４に示される表示部に概ね対応するものである。段階１００で始まり、表示部の設定はシステムのデフォルト設定で始まり、このデフォルト設定も、コピー・サービスのデフォルト設定である。段階１０１において、アルゴリズムは、ユーザが「スタート」を押すこと、或いは異なるボタンを選択したことの感知のいずれかに応答する。段階１０２において、アルゴリズムは、選択されたボタンがサービスの変更を示すかどうかを判断する。肯定の場合には、次にアルゴリズムは、段階１２０に進み、ここで表示部は、段階１２１ないし段階１２４に示されるように、ファックス・サービス或いは走査サービスのデフォルト設定のいずれかに再設定される。当業者であれば、ファックス及び走査についての特定のアルゴリズムは、コピー・サービスのアルゴリズムに類似していることが分かっており、従って、これらのアルゴリズムについての詳細は、更なる説明なしで容易に理解されるであろう。
【００１６】
段階１０２に戻り、コピー・サービスが選択されたままである場合には、次に段階１０３において、アルゴリズムは、カラー或いは白黒のモードが変更されたかどうかを調べる。そうである場合には、次に段階１０４において、各々についての明るさが切り換えられる。次にアルゴリズムは、段階１０５に進み、ここでアルゴリズムは「品質」の選択が変更されたかどうかを調べる。肯定の場合には、新たに選択されたボタンが強調表示され、以前のボタンの明るさは暗くされる。次にアルゴリズムは、段階１０６に進み、ここでアルゴリズムはいずれかの機能ボタンが選択されたかどうかを調べる。選択されていない場合には、次に段階１０７において「スタート」ボタンが強調表示され、段階１１１において、アルゴリズムは「スタート」ボタンが作動されたかどうかを調べる。段階１０６での応答が「はい」である場合には、次に段階１０８において、選択されたボタンが強調表示される。段階１０９において、アルゴリズムは別のボタンが選択されたかどうかを調べる。選択されている場合には、アルゴリズムは段階１０２に戻り、上記の処理段階を繰り返す。選択されていない場合には、次に「スタート」ボタンが強調表示される。段階１１１において「スタート」ボタンが選択された場合には、次にシステム制御装置は、段階１１２に示されるように、ここでの現在のシステム設定を実行し、システム処理を開始するように指示される。システム処理中は、「クリア／ストップ」ボタンが強調表示され、他の照明は全て暗くされる。段階１１３において、アルゴリズムは、処理中に「クリア／ストップ」ボタンが作動されたかどうかを調べる。この調査は、システム処理が完了するまで続くのが普通である。「クリア／ストップ」ボタンが作動された場合には、次に段階１１４において、システム処理は、一時停止されるか又は中止される。システム制御アルゴリズムは、システムが安全な一時停止位置に置かれるように適切なコマンドを実施し、インターフェースのアルゴリズムは次のコマンドが受け取られるまで待機する。次に選択することができる機能に関する全てのボタンは、「クリア／ストップ」ボタンと併せて、再び明るくされる。段階１１５において、次のコマンドが「クリア／ストップ」を再選択することである場合には、次にアルゴリズムは段階１１６に進み、ここでシステム制御装置は、ジョブを終了してシステムを初期条件に戻すのに必要なタスクを指示する。このようなタスクには、例えば、システムが停止された時に処理中であったあらゆる用紙の排除を含むことができる。このようなタスクが完了すると、インターフェースのアルゴリズムは、段階１１８に進み、ここで該アルゴリズムは特定の時間だけ待機し、次に段階１００に戻り、処理が再び開始されることになる。
【００１７】
段階１１３に戻り、「クリア／ストップ」ボタンが作動されていない場合には、次にシステム処理は、完了或いは紙詰まりのようにシステム処理が中断されるまで進む。システムの中断は、通常は、段階１１３における「クリア／ストップ」ボタンの最初の作動として取り扱うことができる。このようなシステム処理の中断が起こらないと仮定すると、次に段階１１７において、アルゴリズムは処理が完了したかどうかを調べる。完了すると、システムは段階１１８に進み、特定の時間だけ待機し、段階１００の最初のインターフェース設定に戻る。
【００１８】
アルゴリズムが段階１１８に達することになる別の場合が、少なくとも１つある。段階１１１に戻り、「スタート」ボタンが特定の時間内に作動されない場合には、次にアルゴリズムは、段階１１８に進み、インターフェース及びシステムを段階１００で準備されたように再設定する。
【００１９】
当該業者であれば、多くの変形を上述のインターフェース制御アルゴリズムに行うことができ、本発明は、そのような全ての変形を含むことを意図するものであることを認識するであろう。
【００２０】
要するに、照明のような人が検知可能なインジケータを用いて、ある特定時に選択することができるシステム機能に関するボタンだけを強調表示し、ユーザをこのボタンに案内する、「ハード・ディスプレイ」を有する多機能電子システムのための改善され単純化されたインターフェースが提供される。このような単純化され改善されたアルゴリズムを達成するアルゴリズム及び方法がさらに提供される。多機能プリンタのような電子装置は、ますます多くの別々のサービスを同じシステムの中に合体させ続けているため、本発明は、混乱を減らし、ユーザの自信及び満足を増加させるであろう。
【００２１】
（１）本発明は、対人インターフェースを有し、複数のサービスを人であるユーザに提供する多機能電子システムであって、ａ）システム制御装置と、ｂ）前記インターフェース上に配置され、システム特色の選択を制御し、単独で前記システム制御装置と通信するようになった人による制御が可能な複数のスイッチ装置と、ｃ）各々が一つのスイッチ装置と関連しており、そのスイッチ装置についての複数のモードのうちの１つの存在を示す人が理解可能な複数のインジケータと、を備え、第１のサービスが選択されると、前記制御装置が、該スイッチ装置に関連する人が理解可能なインジケータを指示して、このスイッチ装置についての第１のモードの存在を示すようにし、第２のサービスが選択されると、前記制御装置が、該スイッチ装置に関連する人が理解可能なインジケータを指示して、このスイッチ装置についての第２のモードの存在を示すようにする、ことを特徴としている。
【００２２】
（２）上記（１）記載の多機能電子システムにおいて、前記第１のサービスが、本質的に印刷、コピー、走査、及びファクシミリからなるサービスのグループの１つを含み、前記第２のサービスが、本質的に印刷、コピー、走査、及びファクシミリからなるサービスのグループの異なる１つを含んでいてもよい。
【００２３】
（３）上記（１）記載の多機能電子システムにおいて、前記第１のサービスが選択されると、前記制御装置が、第２のスイッチ装置に関連する前記人が理解可能なインジケータを指示して、該スイッチ装置についての第２のモードの存在を示すようにし、前記第２のサービスが選択されると、前記制御装置が、前記第２のスイッチ装置に関連する前記人が理解可能なインジケータを指示して、このスイッチ装置についての第１のモードの存在を示すようにするものであってもよい。
【００２４】
（４）上記（１）記載の多機能電子システムにおいて、前記スイッチ装置が、装置の制御装置と通信してサービスに関する複数のシステム特色の１つを選択するようになっており、前記第１のモードが前記スイッチ装置に関連するシステム特色の利用可能性を含むものであり、前記第２のモードが前記スイッチ装置に関連する特色の非利用可能性を含むものであってもよい。
【００２５】
（５）上記（４）記載の多機能電子システムにおいて、前記スイッチ装置がスイッチ装置のグループの１つからなり、一度に前記スイッチ装置のグループの１つだけを作動させることができ、前記第１のモードにおいては、前記グループにおける前記スイッチ装置に関連する各々の人が理解可能なインジケータが、前記グループにおける前記スイッチ装置に関連するシステム特色のそれぞれについての利用可能性を示し、前記制御装置が、人が理解可能なインジケータのうちの前記グループにおけるスイッチ装置に関連する１つを、そのスイッチ装置に関連する前記システム特色が現在作動のために選択されていることをさらに示すように指示するものであってもよい。
【００２６】
（６）上記（５）記載の多機能電子システムにおいて、前記グループにおける各々のスイッチ装置に関連する第２の人が理解可能なインジケータをさらに含み、前記スイッチ装置に関連する前記特色の利用可能性が前記第１の人が理解可能なインジケータにより示され、前記特色を実施することについての現在の選択が前記第２の人が理解可能なインジケータにより示される請求項５に記載の多機能電子システム。
【００２７】
（７）上記（６）記載の多機能電子システムにおいて、前記第１及び第２の人が理解可能なインジケータが、２つのレベルの照明からなるものであってもよい。
【００２８】
（８）上記（６）記載の多機能電子システムにおいて、前記第１及び第２の人が理解可能なインジケータが２つの照明源を備えるものであってもよい。
【００２９】
（９）上記（６）記載の多機能電子システムにおいて、一方の人が理解可能なインジケータが単一の人が理解可能なインジケータからの繰り返されるパターンの可変信号を含み、他方の人が理解可能なインジケータが単一の人が理解可能なインジケータからの連続的な信号を含むものであってもよい。
【００３０】
（１０）上記（１）記載の多機能電子システムにおいて、前記人が理解可能なインジケータが、前記第１のモードの存在を示す第１の特性の光と、前記第２のモードの存在を示す第２の特性の光とをもたらす照明源を備えるものであってもよい。
【００３１】
（１１）上記（１０）記載の多機能電子システムにおいて、前記第１の特性の光が、人が理解可能なインジケータからの繰り返されるパターンの可変信号を含み、前記第２の特性の光が人が理解可能なインジケータからの連続的な信号を含むものであってもよい。
【００３２】
（１２）上記（１０）記載の多機能電子システムにおいて、前記第１の特性の光が１つの色の照明を含み、前記第２の特性の光が第２の色の照明を含むものであってもよい。
【００３３】
（１３）上記（１０）記載の多機能電子システムにおいて、前記照明源が発光ダイオードを含むものであってもよい。
【００３４】
（１４）上記（１０）記載の多機能電子システムにおいて、前記照明源が光ファイバーを含むものであってもよい。
【００３５】
（１５）上記（１）記載の多機能電子システムにおいて、前記第１のサービスに関するほとんどのスイッチ装置が前記インターフェース上で共にグループ分けされ、前記第２のサービスに関連するほとんどのスイッチ装置が、前記第１のサービスに関する前記グループとは別にグループ分けされるものであってもよい。
【００３６】
（１６）上記（１５）記載の多機能電子システムにおいて、前記第１及び第２のサービスに関する前記スイッチ装置のグループの外側に、前記インターフェース上に置かれた複数のサービスに関するスイッチ装置をさらに備えるものであってもよい。
【００３７】
（１７）また、本発明は、対人インターフェースを有し、複数のサービスを人であるユーザに提供する電子写真多機能プリンタであって、ａ）システム制御装置と、ｂ）前記インターフェース上に配置され、システム特色の選択を制御し、単独で前記システム制御装置と通信するようになった人による制御が可能な複数のスイッチ装置と、ｃ）各々が一つのスイッチ装置と関連しており、そのようなスイッチ装置についての複数のモードのうちの１つの存在を示す人が理解可能な複数のインジケータと、を備え、第１のサービスが選択されると、前記制御装置が、該スイッチ装置に関連する人が理解可能なインジケータを指示して、このスイッチ装置についての第１のモードの存在を示すようにし、第２のサービスが選択されると、前記制御装置が、該スイッチ装置に関連する人が理解可能なインジケータを指示して、このスイッチ装置についての第２のモードの存在を示すようにする、ことを特徴としている。
【００３８】
（１８）更に、本発明は、システム制御装置と、システム特色の選択を制御する複数のスイッチ装置を備えた対人インターフェースと、各々のスイッチ装置に関連する人が理解可能なインジケータとを有する多機能電子システムにおいて、実行されるべき第１のサービスを選択し、前記制御装置により、前記第１のサービスの選択でどの特色を得ることができるかを判断し、前記制御装置からの信号により、前記第１のサービスの選択で得ることができる特色の選択を制御するスイッチ装置に関連する人が理解可能なインジケータを作動させる、ことからなる前記システムと接続する方法を特徴としている。
【００３９】
（１９）上記（１８）記載の方法において、前記第１のサービスの選択で得ることができない特色の選択を制御するスイッチ装置に関連する人が理解可能なインジケータの作動を停止することをさらに含んでいてもよい。
【００４０】
（２０）上記（１８）記載の方法において、実行されるべき第２のサービスを選択し、
前記制御装置により、前記第２のサービスの選択でどの特色を得ることができるかを判断し、前記制御装置からの信号により、前記第２のサービスの選択で得ることができる特色の選択を制御するスイッチ装置に関連する人が理解可能なインジケータを作動させ、前記第２のサービスの選択で得ることができない特色の選択を制御するスイッチ装置に関連する人が理解可能なインジケータの作動を停止する、ことをさらに含んでいてもよい。
【００４１】
（２１）上記（１８）記載の方法において、前記第１のサービスについて、ユーザが少なくとも１つのスイッチ装置を切り換えることにより代替的な特色の組を選択しない限り、前記選択されたサービスの作動により実施されるシステム特色におけるデフォルトの選択の組を設定し、少なくとも１つの人が理解可能なインジケータを用いて、前記デフォルトの選択の組の少なくとも１つの特色を示す、ことをさらに含んでいてもよい。
【００４２】
（２２）上記（２１）記載の方法において、少なくとも１つのスイッチ装置を切り換えることにより、代替的な特色の組を選択し、人が理解可能なインジケータにより、前記選択されたサービスが実施されるようにシステムの処理の作動を制御するスイッチ装置を強調表示する、ことをさらに含んでいてもよい。
【００４３】
（２３）上記（１８）記載の方法において、現在選択されている特色を選択するスイッチ装置に関連する前記人が理解可能なインジケータを強調表示することをさらに含んでいてもよい。
【００４４】
（２４）上記（２３）記載の方法において、一度に１つの関連する特色だけを選択することができるものにおいて、選択されたサービスで得ることができるシステム特色に関連する複数のスイッチ装置をグループ分けし、人が理解可能なインジケータにより、前記グループ内の前記スイッチ装置に関連する前記特色の全ての利用可能性を示し、人が理解可能なインジケータにより、前記現在選択されているシステム特色に関連する前記グループ内の前記スイッチ装置の１つを強調表示する、ことをさらに含んでいてもよい。
【図面の簡単な説明】
【００４５】
【図１】従来のインターフェースの外観図である。
【図２】本発明のインターフェースの一実施形態の外観図である。
【図３】本発明のインターフェースの別の実施形態の外観図である。
【図４】本発明のインターフェースの別の実施形態の外観図である。
【図５】本発明のインターフェースの一実施形態の外観図である。
【図６】本発明の実施形態についての論理アルゴリズムを示すフローチャートの第１の部分である。
【図７】本発明の実施形態についての論理アルゴリズムを示すフローチャートの第２の部分である。
【符号の説明】
【００４６】
１２２：ファックス・アルゴリズム
１２３：デフォルトのスキャン設定
１２４：走査アルゴリズム
【図１】
2004181959.tif 000003
【図２】
2004181959.tif 000004
【図３】
2004181959.tif 000005
【図４】
2004181959.tif 000006
【図５】
2004181959.tif 000007
【図６】
2004181959.tif 000008
【図７】
2004181959.tif 000009